(57)【要約】【課題】容器本体とその胴部外側に貼着される外装体から構成され、外装体を容器本体から剥ぎ取ることの出来る容器において、予定された開口部に合わせて確実に開封を行うことの出来る開封機能付き紙容器を提供すること。【解決手段】開封開始部から容器本体の開口部に向かって開封方向に順次設けられている開封用の切れ目は、開封開始部側の切れ目の上端よりも次に設けられる切れ目の下端が容器本体の底部側に設けられ、開封開始部から容器本体の底部に向かって開封方向に順次設けられている開封用の切れ目は、開封開始部側の切れ目の下端よりも次に設けられる切れ目の上端が容器本体の開口部側に設けられることを特徴とする開封機能付き紙容器。【選択図】図１
2010126209.tif 000002
【特許請求の範囲】
【請求項１】
少なくとも容器本体と、該容器本体の外側を覆うように貼着されて一体として組み合わされた外装体とからなる開封機能付き紙容器において、
外装体には切れ目からなる開封開始部、開封開始部から容器本体の開口部及び底部に向かって開封方向に開封用の切れ目が設けられている開封機能付き紙容器であって、
開封開始部から容器本体の開口部に向かって開封方向に順次設けられている開封用の切れ目は、開封開始部側の切れ目の上端よりも次に設けられる切れ目の下端が容器本体の底部側に設けられ、開封開始部から容器本体の底部に向かって開封方向に順次設けられている開封用の切れ目は、開封開始部側の切れ目の下端よりも次に設けられる切れ目の上端が容器本体の開口部側に設けられることを特徴とする開封機能付き紙容器。
【請求項２】
開封開始部が丸みを有した切れ目からなることを特徴とする請求項１に記載の開封機能付き紙容器。
【請求項３】
開封開始部が外装体の高さの半分以上の高さの位置に設けられていることを特徴とする請求項１または２に記載の開封機能付き紙容器。
【請求項４】
開封開始部から容器本体の底部に向かって開封方向に順次設けられている開封用の切れ目に連続するように横切れ目が設けられていることを特徴とする請求項１から３のいずれか１項に記載の開封機能付き紙容器。
【発明の詳細な説明】
【技術分野】
【０００１】
本発明は、容器本体とその胴部外側に貼着される外装体から構成される容器であって、外装材を容器本体から剥ぎ取ることの出来る容器に関し、たとえば、懸賞応募、真贋判定、流通経路把握、および抽選番号などとして景品提供を行うことで販売促進等に用いることができる隠蔽情報を含む開封機能付き容器に関するものである。そして、この容器は、熱湯を注いで調理するインスタント食品等の断熱性容器としても用いられる。
【背景技術】
【０００２】
従来から、食品等の包装分野においては、食品等の内容物の販売促進を目的に、食品等の内容物を包装する包装体などに懸賞機能を付与する手段が用いられている。この手段の一つとしては、例えば、隠蔽性を有する包装体内に、カップ状容器内に当たり券等を収納し、カップ状容器を開封して、隠蔽情報としての「当たり外れ」等の情報を確認できるようになっているものがある。この場合、当たり券は別途用意する必要があると共にこれをカップ状容器内に入れる作業が必要となるなど、結構手間がかかるという問題がある。
【０００３】
また、菓子や食品分野で包装容器に個別の情報を印字して購買証明等とする手法は、広く行われている。例えば、一般紙器類では、紙器箱の内面へ個別情報の印字、また、軟包装袋では袋の内側へ個別情報の印字、さらには、飲料缶などに、二重シールで個別情報を隠蔽した個別情報隠蔽ラベルなどを貼付する手法が採られている。個別情報とは、数桁から十数桁の数字であったり、携帯電話で読み取ることができるＱＲコード等の二次元バーコードであることが多い。
【０００４】
しかしながら、特に食品等の包装分野において熱湯を注いで調理するインスタント食品等の容器の場合、容器内面に印刷インキ層からなる個別情報を設けることは印刷インキ層からの残留溶剤やインキ成分が食品に溶出する等の衛生上・安全性上の問題がある。
【０００５】
この問題に対して、特許文献１では、少なくとも容器本体と、該容器本体の外側を覆うように貼着されて一体として組み合わされた外装体とからなる容器であって、 前記容器本体の胴部外側周壁もしくは前記外装体の内面に隠蔽情報層を形成し、前記外装体に設けた開口開始手段としての摘み部から切れ目線に沿って開口することにより、開口後、前記容器本体の胴部外側周壁もしくは前記外装体の内面に設けられた前記隠蔽情報を容易に視認することができることを特徴とする隠蔽情報付き容器が提案されている。
【０００６】
容器本体とその外側を覆うように組み合わされた外装体とからなる容器については、主に容器の断熱性を高めることを目的として従来からいくつか提案されてきている（特許文献２、３、４）。
【０００７】
特許文献１で提案されている容器は上記の構造を利用して容器本体と外装体の間のそのままでは見えない空間に隠蔽された情報を記録しておき、印刷インキ層からの残留溶剤やインキ成分が食品に溶出する等の問題を回避しつつ、必要な場合に簡単に隠蔽されていた情報を利用できる構造として画期的なものであり、さらには容器本体と外装体を分割して廃棄する場合にも活用できる点で優れたものではあるが、外装体を剥ぎ取る場合に予定した形状で剥ぎ取ることが出来ないことがあることが判明した。
【０００８】
ここで、外装体を予定した形状で剥ぎ取ることが出来ない場合の具体的な一例を示す。
【０００９】
図５は、特許文献１の隠蔽情報付き容器の一例を図解的に示すものであって、（ａ）は
紙製外装体の未開封状態を示す外観斜視図であり、（ｂ）は開封開始手段としての摘み部から開封して開封領域を形成し、紙製外装体の開封領域内面に設けた隠蔽情報の一部がようやく視認される程度の紙製外装体の開封状態を示す外観斜視図である。
【００１０】
図５の（ａ）に示した開封機能付き容器１は、紙製外装体２０に形成された開封開始部２０ａを手指で摘んで開封することにより複数条の切れ目２０ｂ，２０ｂに沿って紙製容器本体１０の開封部方向と底部方向に漸次広がるように紙製外装体が開封し、開封領域２０ｃを形成し、紙製外装体の裏面に設けられた開封領域の隠蔽情報３０を確認することができる。
【００１１】
この場合、開封領域は隠蔽情報を視認できる形状に予定されており、正常に開封すれば、紙製外装体上下の複数条の切れ目の間で切れ目に沿って開封して結果として隠蔽情報の全体が視認できるようになるはずであった。
【００１２】
図５の（ｂ）に示した紙製外装体の開封状態は、切れ目から外れた位置で開封された結果、隠蔽情報の一部しか視認できない開封状態を示している。
【００１３】
このように、たとえば、傾きのある円筒状の容器に図５の（ａ）のように設けられた切れ目に沿って開封しようとする場合、容器底側に向けて並ぶように設けられた切れ目は開封時に容器胴部に対しての横方向に対する力が強くかかるために、容器底方向に向けて力がかからず連続して切れ目が引裂かれずその結果切れ目に沿って開封できない場合があった。
【００１４】
切れ目に沿って開封できない上記の現象は、容器本体の開口部側の外装体に設けられた切れ目でも同様に起きる場合があり、切れ目の形状をＹ字状やＬ字状にした場合でも同様に起きる場合があった。
【００１５】
この結果、予定された開封部に合わせて確実に開封することが出来ないために、外装体を容器本体から剥がすことが出来ず、容易に容器を解体することが出来ない場合があった。
【００１６】
また、容器本体の胴部に隠蔽情報を設けた場合には容易には情報を視認することが出来ず、外装体の裏面に隠蔽情報を設けた場合には外装体が破れてしまい情報を確認することが出来なくなってしまうという結果を招来する場合があった。
【特許文献１】特願２００７−３０１３９３号公報
【特許文献２】特開平８−４８３７５号公報
【特許文献３】特開２０００−１６４１９号公報
【特許文献４】特開２０００−１４２８３７号公報
【発明の開示】
【発明が解決しようとする課題】
【００１７】
本発明の課題は、容器本体とその胴部外側に貼着される外装体から構成され、外装体を容器本体から剥ぎ取ることの出来る容器において、予定された開封部に合わせて確実に開封を行うことの出来る開封機能付き紙容器を提供することにある
【課題を解決するための手段】
【００１８】
本発明の請求項１の発明は、少なくとも容器本体と、該容器本体の外側を覆うように貼着されて一体として組み合わされた外装体とからなる開封機能付き紙容器において、
外装体には切れ目からなる開封開始部、開封開始部から容器本体の開口部及び底部に向かって開封方向に開封用の切れ目が設けられている開封機能付き紙容器であって、
開封開始部から容器本体の開口部に向かって開封方向に順次設けられている開封用の切れ目は、開封開始部側の切れ目の上端よりも次に設けられる切れ目の下端が容器本体の底部側に設けられ、開封開始部から容器本体の底部に向かって開封方向に順次設けられている開封用の切れ目は、開封開始部側の切れ目の下端よりも次に設けられる切れ目の上端が容器本体の開口部側に設けられることを特徴とする開封機能付き紙容器である。
【００１９】
本発明の請求項２の発明は、開封開始部が丸みを有した切れ目からなることを特徴とする請求項１に記載の開封機能付き紙容器である。
【００２０】
本発明の請求項３の発明は、開封開始部が外装体の高さの半分以上の高さの位置に設けられていることを特徴とする請求項１または２に記載の開封機能付き紙容器である。
【００２１】
本発明の請求項４の発明は、開封開始部から容器本体の底部に向かって開封方向に順次設けられている開封用の切れ目に連続するように横切れ目が設けられていることを特徴とする請求項１から３のいずれか１項に記載の開封機能付き紙容器である。
【発明の効果】
【００２２】
本発明の開封機能付き紙容器は、切れ目で開封領域を形成したので、外装体を容器本体に安定して貼着して形成することができる。
【００２３】
また、隠蔽情報は容器本体の胴部外側周壁もしくは外装体の内面に設けるので、当たり券等を別途用意する必要もなく、容器内に入れるという作業も排除できる。
【００２４】
さらに、開封領域を開封開始手段としての摘み部から切れ目に沿って容易に開封することができて容器本体の胴部外側周壁もしくは外装体の内面に設けた隠蔽情報を容易に確認することができる。
【００２５】
これにより、懸賞応募、真贋判定、流通経路把握、および抽選番号等として景品提供を行うことで販売促進等に用いることができる隠蔽情報を設けた開封機能付き紙容器を提供することができる。
【００２６】
本発明の開封機能付き紙容器は、外装体には切れ目からなる開封開始部（摘み部）、開封開始部から容器本体の開口部及び底部に向かって開封方向に開封用の切れ目が設けられている開封機能付き紙容器であって、開封開始部から容器本体の開口部に向かって開封方向に順次設けられている開封用の切れ目は、開封開始部側の切れ目の上端よりも次に設けられる切れ目の下端が容器本体の底部側に設けられ、開封開始部から容器本体の底部に向かって開封方向に順次設けられている開封用の切れ目は、開封開始部側の切れ目の下端よりも次に設けられる切れ目の上端が容器本体の開口部側に設けられることによって、予定された開封部の輪郭から外れることなく予定された開封部に合わせて確実に開封を行うことの出来る開封機能付き紙容器を提供することが出来る。
【００２７】
その結果、外装体の開封部が予定された位置と異なる、あるいは予定された大きさよりも小さい場合に生じる、外装体の内側に記録された隠蔽情報の視認の制限や容器胴部外面に記録された隠蔽情報の視認の制限が起こらずに、必要な記録情報全体を容易に視認あるいは読み取りをすることが可能になる。
【００２８】
本発明の開封機能付き紙容器は、開封開始部（摘み部）が丸みを有した切れ目からなることによって、開封開始時に指先で摘みやすい構造となっている。
【００２９】
本発明の開封機能付き紙容器は、開封開始部（摘み部）が外装体の高さの半分以上の高
さの位置に設けられていることによって、開封するときに指先から外装体にかかる力がかけ易く確実に開封予定部に沿って開封出来る。
【００３０】
本発明の開封機能付き紙容器は、開封開始部（摘み部）から容器本体の底部に向かって開封方向に順次設けられている開封用の切れ目に連続するように横方向の切れ目が設けられていることによって、底部まで開封する必要がない場合には必要な部分だけ軽い力で開封できる。
【００３１】
本発明の開封機能付き紙容器は、紙製容器本体と、この紙製容器本体の外側を覆うように貼着されて一体として組み合わされた外装体を紙製外装体とすることで、熱湯を注いで調理するインスタント食品等の断熱性容器として使用することもできる。
【００３２】
さらに、また本発明の開封機能付き紙容器は、材料に紙を使用することにより、使用後は紙製品として廃棄され、また、減容化が容易であるので廃棄処理性が良好であり、さらに、リサイクルも可能であるので、環境負荷の低減に貢献することができる。
【発明を実施するための最良の形態】
【００３３】
以下、本発明の実施形態の一例として紙製断熱カップを例示して本発明の開封機能付き紙容器について図面を参照して説明する。
【００３４】
図１は本発明の開封機能付き紙容器の一例を図解的に示す外観斜視図であり、（ａ）は、紙製外装体の未開封状態を示す外観斜視図である。（ｂ）は、開封開始手段としての摘み部から切れ目に沿って開封して開封領域を形成し、紙製外装体の開封領域内面に設けた隠蔽情報が容易に視認される紙製外装体の開封状態を示す外観斜視図である。
【００３５】
図２は、図１で示す本発明の開封機能付き紙容器の一例を図解的に示す断面図である。
【００３６】
図３は、本発明の開封機能付き紙容器の他の例を図解的に示すものであって、（ａ）は、紙製外装体の未開封状態を示す外観斜視図である。（ｂ）は、開封開始手段としての摘み部から切れ目に沿って開封して開封領域を形成し、紙製外装体の開封領域内面に設けた隠蔽情報が容易に視認される紙製外装体の開封状態を示す外観斜視図である。
【００３７】
図４は、本発明の開封機能付き紙容器のさらに別の例を図解的に示すものであって、（ａ）は、紙製外装体の未開封状態を示す外観斜視図である。（ｂ）は、開封開始手段としての摘み部から切れ目に沿って開封して開封領域を形成し、紙製外装体の開封領域内面に設けた隠蔽情報が容易に視認される紙製外装体の開封状態を示す外観斜視図である。
【００３８】
図５は従来の開封機能付き紙容器の一例を図解的に示す外観斜視図であって、（ａ）は、紙製外装体の未開封状態を示す外観斜視図である。（ｂ）は、開封開始手段としての摘み部から開封して開封領域を形成し、紙製外装体の開封領域内面に設けた隠蔽情報が部分的に視認される状態を示す外観斜視図である。
【００３９】
図６（ａ）は、図５で示す従来の開封機能付き紙容器に用いる紙製外装体の展開ブランク板を概略的に示す平面図であり図６（ｂ）は図１で示す本発明の開封機能付き紙容器に用いる紙製外装体の展開ブランク板を概略的に示す平面図である。
【００４０】
図１（ａ）で示すように、本発明の開封機能付き紙容器１Ａは、カップ状紙製容器本体１０と、この紙製容器本体１０の胴部１０ａ外側周壁を覆うように、前記紙製容器本体１０の外巻開口縁部からなるフランジ部１０ｂ下端の貼着部（図示せず）と紙製容器本体１０の底部１０ｃ外側周壁の貼着部（図示せず）に貼着された一体に組み合わされた紙製外装体２０とからなり、紙製外装体２０の内面と紙製容器本体１０の胴部１０ａ外側周壁との間に断熱空間が形成された２層構成の開封機能付き紙容器である。
【００４１】
さらに、紙製外装体２０の上端縁の所要位置から底部方向に向かう所要位置まで「く」の字状に複数条の切れ目２０ｂ，２０ｂが設けられ、「く」の字先端に開封開始手段としての丸みを有した丸みを有した切れ目からなる摘み部２０ａが区画形成されている。
【００４２】
そして、前記複数条の切れ目２０ｂ，２０ｂで区画される開封領域となる予定の紙製外装体２０の内面に隠蔽情報３０が設けられている。
【００４３】
図１（ｂ）で示すように、前記紙製外装体２０に設けた開封開始部に設けられた丸みを有した切れ目からなる摘み部２０ａから切れ目２０ｂ，２０ｂに沿って開封することにより、開封後、紙製外装体２０の内面に設けられた開封領域２０ｃの前記隠蔽情報３０を容易に視認することができる。
【００４４】
紙製容器本体１０の胴部外側周壁１０ａと紙製外装体２０の内側側壁との間に空間を設けることによって、断熱効果を高めると共に、丸みを有した切れ目からなる摘み部２０ａから複数条の切れ目２０ｂ，２０ｂに沿って開封し易くなり、容易に開封領域２０ｃを形成することができ隠蔽情報３０を容易に視認できるという効果もある。図１では、前記紙製外装体２０の内面に隠蔽情報３０を設けた場合を例示したが、隠蔽情報３０は、前記紙製容器本体１０の胴部１０ａ外側周壁に設けてもよい。
【００４５】
これに対して、従来の開封機能付き紙容器の一例を図解的に示したのが図５であり、さらに従来の開封機能付き紙容器に用いる紙製外装体の展開ブランク板と本発明の開封機能付き紙容器に用いる紙製外装体の展開ブランク板を比較するための概略的な平面図を図６に示している。
【００４６】
図５（ａ）に示した従来の開封機能付き紙容器と図１（ａ）に示した本発明の開封機能付き紙容器とでは切れ目の配置のみが異なる。図５（ａ）の開封開始部２０ａから開封領域が外装体上部に向かう場合は開封開始部２０ａの上端の高さ、すなわち図６（ａ）のＸ２、に対して次の切れ目の下端の高さが略同一になるように設けられており、さらにこの切れ目の上端の高さＸ１に対して次の切れ目の下端の高さが略同一になるように設けられている。
【００４７】
図６（ａ）では開封開始部２０ａから開封領域が外装体底部に向かう場合は開封開始部２０ａの下端の高さＸ３に対して次の切れ目の上端の高さが略同一になるように設けられており、さらにこの切れ目の下端の高さＸ４に対して次の切れ目の上端の高さが略同一になるように繰り返し配置されており、この関係が開封予定部分底部の所要高さまで隣接した切れ目の間で継続されている。
【００４８】
図６（ａ）のブランク板を用いて成形した開封機能付き紙容器の開封前の外観斜視図を図５（ａ）に、開封後の外観斜視図を図５（ｂ）に示した。
【００４９】
図５（ｂ）では開封開始部２０ａからの右方向への開裂痕が次の切れ目と連続しないために、上下両方の途中部分で予定した所要の開封領域よりも内側に入り込み、開封領域２０ｃが狭くなった結果、必要な隠蔽情報３０の一部しか視認できない状態を示している。
【００５０】
このように、開裂の予定方向に隣接した切れ目に沿って開裂しなかったために予定開封領域が正常に開封せず必要な情報の確認が出来ないという障害は切れ目の形状にかかわらず上記の切れ目の配列では避けることが出来なかった。
【００５１】
本発明の開封機能付き紙容器においては切れ目の配列を変更することによって、隣接した切れ目に沿って開裂させることが容易に出来るようになった。すなわち、図１（ａ）の開封開始部２０ａから開封領域が外装体上部に向かう場合は開封開始部２０ａの上端の高さＸ２に対して次の切れ目の下端の高さが低くなるように設けられており、さらにこの切れ目の上端の高さＸ１に対して次の切れ目の下端の高さが低くなるように設けられている（図６（ｂ））。
【００５２】
図６（ｂ）では開封開始部２０ａから開封領域が外装体底部に向かう場合は開封開始部２０ａの下端の高さＸ３に対して次の切れ目の上端の高さが高くなるように設けられておりさらにこの切れ目の下端の高さＸ４に対して次の切れ目の上端の高さが高くなるように繰り返し配置されており、開封予定部分底部の所要高さまで隣接した切れ目の間でこの関係が継続されている。
【００５３】
隣接した切れ目の配列を上記のように変更することによって、外装体の開封時に開封のための力を加える方向のばらつきや紙目の違い等により、開裂方向が予定された方向（隣接する切れ目の方向）から外れて開封されることを防止でき、図１の（ｂ）に示すような開封領域２０ｃを容易に形成して、必要な隠蔽情報を簡単に視認できるようになった。
【００５４】
本発明の他の例としての開封機能付き紙容器を図３に示す。図３（ａ）は、紙製外装体の未開封状態を示す外観斜視図であり、（ｂ）は、開封開始手段としての丸みを有した切れ目からなる摘み部から切れ目に沿って開封して開封領域を形成し、紙製外装体の開封領域内面に設けた隠蔽情報が容易に視認される紙製外装体の開封状態を示す外観斜視図である。
【００５５】
この開封機能付き紙容器は、容器本体１０と、この容器本体１０の外側を覆うように貼着されて一体として組み合わされた外装体２０とからなる容器であって、前記容器本体１０の胴部外側周壁もしくは前記外装体２０の内面に隠蔽情報層３０を形成し、前記外装体２０に設けた開封開始手段としての丸みを有した切れ目からなる摘み部２０ａから切れ目２０ｂと容器の開口部下側外装体に設けた切れ目２０ｅに沿って外装体が漸次広がるように開封領域を形成する開封機能付き紙容器１Ｂである。
【００５６】
このように、容器の開口部下側外装体の横方向に切れ目を設けることにより開封時により容易に必要な領域のみを軽い力で確実に開封できるようになる。
【００５７】
さらに、本発明の他の例としての開封機能付き紙容器を図４に示す。図４（ａ）は、紙製外装体の未開封状態を示す外観斜視図であり、（ｂ）は、開封開始手段としての丸みを有した切れ目からなる摘み部から切れ目に沿って開封して開封領域を形成し、紙製外装体の開封領域内面に設けた隠蔽情報が容易に視認される紙製外装体の開封状態を示す外観斜視図である。
【００５８】
この開封機能付き紙容器は、容器本体１０と、この容器本体１０の外側を覆うように貼着されて一体として組み合わされた外装体２０とからなる容器であって、前記容器本体１０の胴部外側周壁もしくは前記外装体２０の内面に隠蔽情報層３０を形成し、前記外装体２０に設けた開封開始手段としての丸みを有した切れ目からなる摘み部２０ａから切れ目２０ｂと容器の底部上側外装体に設けた切れ目２０ｄに沿って外装体が漸次広がるように開封領域を形成する開封機能付き紙容器１Ｃである。
【００５９】
このように、容器の底部上側外装体の横方向に切れ目を設けることにより開封時により容易に必要な領域のみを軽い力で確実に開封できるようになる。この横方向の切れ目の高
さは所要開封領域によって決まり、図４のように底部近辺である必要はない。
【００６０】
上記の容器の開口部下側外装体もしくは容器の底部上側外装体に設ける上記の横方向の切れ目を容器開口部下側外装体もしくは底部上側外装体全周に設けることもできる。このように切れ目を設けることにより、外装体を容器本体から取り外すこともできる。容器本体と外装体の材料が異なる時に分別廃棄が必要となる場合に便利である。
【００６１】
尚、本発明の実施形態の一例として紙製断熱カップを例示したが、本発明における容器本体は、紙基材以外にもプラスチック基材を使用することができる。また、本発明における外装体は、紙基材以外にもプラスチック基材を使用することができる。
【００６２】
上記の本発明の開封機能付き紙容器の断面を図２に図解的に示す。この紙製容器１は、一方の面にポリエチレン樹脂層を形成した略扇形状のポリエチレン塗工紙を前記ポリエチレン樹脂層面が内側となるように端縁を重ね合わせて接合して断面が台形状の筒状となした胴部１０ａ材の大きい方の開口部の周縁を外側にカールさせて外巻開口縁部からなるフランジ部１０ｂを形成する。
【００６３】
それと共に、小さい方の開口部に一方の面にポリエチレン樹脂層を形成した円形状のポリエチレン塗工紙を前記ポリエチレン樹脂層が凸側の面となるように成形した周壁を備えた断面がコの字形状の底材１０ｄを挿入し、胴部１０ａ材の小さい方の開口部の端縁を前記底材１０ｄの周壁を被覆して熱接着した有底状の紙製容器本体１０と、大きい方の開口部の周縁を内側に折り込む所定の幅の内側折込部２０ｄを延設してなる略扇形状の厚紙の前記内側折込部２０ｄを内側に折込み、両端縁を重ね合わせて接合して断面が台形状の筒状になすと共に、前記紙製容器本体１０の外巻開口縁部からなるフランジ部１１ｂ下端外周壁と前記内側折込部２０ｄと、さらに前記紙製容器本体１０の底部１０ｃ外側周壁と紙製外装体２０の小さい方の開口部端縁で熱接着して、前記紙製容器本体１０と紙製外装体２０とを一体に組み合わせて紙製外装体２０の内面と紙製容器本体１０の胴部１０ａ外側周壁との間に断熱空間が形成された２層構成の開封機能付き紙容器としたものである。
【００６４】
本発明における紙製容器本体１０の材料としては、紙を基材層として少なくとも内面にポリオレフィン系樹脂を積層した積層体を使用している。紙としては主にカップ原紙を使用し、その坪量は、１５０〜４５０ｇ／ｍ2程度である。そのカップ原紙の内面には、２０〜８０μｍの範囲で低密度ポリエチレン樹脂、中密度ポリエチレン樹脂、高密度ポリエチレン樹脂、線状低密度ポリエチレン樹脂等のポリオレフィン系樹脂層が押出しコートされて形成される。このポリオレフィン系樹脂層は、内容物の板紙への浸透防止、内容物保護適性の向上の他に、カップ成形性をよくし、蓋材（図示せず）のヒートシールによる封緘性をも良好にする効果をもたらしている。
【００６５】
図６（ｂ）は、本発明の開封機能付き紙容器に用いる紙製外装体２０を展開したブランク板を概略的に示す展開図であって、このブランク板２０’は、大きい方の開口部の周縁を内側に折り込む所定の幅の内側折込部２０ｄを延設してなる略扇形状の厚紙からなり、前記ブランク板２０’の一方の大きい方の開口部の端縁の所要位置から他方の小さい方の開口部の端縁に向かう所要位置まで「く」の字状に複数条の切れ目２０ｂ，２０ｂが設けれ、そして「く」の字先端に開封開始手段としての丸みを有した切れ目からなる摘み部２０ａが区画形成されている。そして、前記複数条の切れ目２０ｂ，２０ｂで区画される開封領域の紙製外装体２０の裏面に隠蔽情報３０が設けられている。
【００６６】
上記の紙製外装体２０の材料としては、坪量２００〜４５０ｇ／ｍ2のカード系、コートボール系等の板紙を使用することができる。坪量が、この限度未満であると紙製外装体２０の剛性が低くなり過ぎて、特に高熱時に撓みが大きくなりすぎて充分な断熱性を失い
、またこの限度を越えると、剛性は高くなるが、内側折込片２０ｄの折込加工適正が悪化し、材料コストも高くなるので好ましくない。
【００６７】
本発明における隠蔽情報３０としては、文字、数字、ＱＲコード等の２次元バーコードやシリアル情報等が挙げられる。例えば、懸賞応募、真贋判定、流通経路把握、および抽選番号などとして景品提供を行うことで販売促進等に用いることができる。
【００６８】
上記の文字、数字、ＱＲコード等の２次元バーコードやシリアル情報等の隠蔽情報３０は、例えば、通常のインキ組成物を使用してオフセット印刷、グラビア印刷、その他等の通常の印刷方法等によって形成することができる。さらには、インクジェット記録方式により印字することもできる。
【００６９】
本発明における切れ目２０ｂおよび切れ目２０ｃ，２０ｄは、切れ目線もしくはハーフカット線等で形成することができる。通常は、複数条の切れ目を施す。そして、切れ目の形状は、直線状、略Ｚ字状、あるいは変形切れ目であってもよく、その形状は特に特定されるものではない。
【００７０】
次に、開封機能付き紙容器１Ａを例示して、本発明の開封機能付き紙容器の製造方法について簡単に説明する。まず、紙製外装体２０用の厚紙の表面には絵柄、表示などの印刷を、裏面には、紙製外装体２０の開封領域、即ち開封した際に視認できる所定の位置に文字、数字、ＱＲコード等の２次元バーコードやシリアル情報等の隠蔽情報３０の印刷を行なう。つぎに、扇状に打ち抜くと共に、前述の丸みを有した切れ目からなる摘み部２０ａを含む切れ目２０ｂの加工も同時に行い、紙製外装体２０のブランク板２０’を作成する。
【００７１】
一方、カップ成形機によって、カップ状の紙製容器本体１０用のブランク板（図示せず）から逆円錐台形状の胴部１０ａを成形し、胴部１０ａの下部を底板１０ｄで巻き締めして底部１０ｃを成形し、上部開口部の周縁を外側にカールさせて外巻開口縁部からなるフランジ部１０ｂを成形し、カップ状の紙製容器本体２０を製造する。
【００７２】
一方において、紙製外装体２０用の内側に折り込む所定の幅の内側折込部２０ｄを延設してなる略扇形状の厚紙からなるブランク板２０’から、内側折込部２０ｄを内側に折り込み逆円錐台形状の紙製外装体２０を成形し、スタッキングしておく。最後に、この紙製外装体２０を成形された紙製容器本体１０に対して両者が互いに当接する、外巻開口縁部からなるフランジ部１１ｂ下端外周壁と前記内側折込部２０ｄと、さらに前記紙製容器本体１０の底部１０ｃ外側周壁と紙製外装体２０の小さい方の開口部端縁で熱接着により貼着して、前記紙製容器本体１０と紙製外装体２０とを一体に組み合わせて紙製外装体２０の内面と紙製容器本体１０の胴部１０ａ外側周壁との間に断熱空間が形成された２層構成の開封機能付き紙容器が得られる。
【００７３】
上記のように構成された本発明の開封機能付き紙容器１Ａは、前記紙製外装体２０に形成された前記丸みを有した切れ目からなる摘み部２０ａを手指で摘んで開口することにより前記複数条の切れ目２０ｂ，２０ｂに沿って紙製容器本体１０の開口部方向と底部方向に紙製外装体が漸次広がるように開封し、開封領域２０ｃを形成し、前記紙製外装体２０の裏面に設けられた開封領域２０ｃの隠蔽情報を確認することができる。
【００７４】
そして、本発明の開封機能付き紙容器は、外装体の開裂方向がばらついても隣接する切れ目に沿って開裂するように切れ目の配置を行ったことにより、開封領域を開封開始部の先端丸みを有した切れ目からなる摘み部から切れ目に沿って確実に開封することができて容器本体の胴部周壁もしくは紙製外装体の内面に設けた隠蔽情報を容易に確認することが
でき、懸賞応募、真贋判定、流通経路把握、および抽選番号等として景品提供を行うことで販売促進等に用いることができる。
【００７５】
さらにまた、本発明の開封機能付き紙容器は、使用後は紙製品として廃棄され、リサイクルも可能であるので、環境負荷の低減に貢献することができる。
【図面の簡単な説明】
【００７６】
【図１】本発明の開封機能付き容器の一例を図解的に示すものであって、（ａ）は、紙製外装体の未開封状態を示す外観斜視図である。（ｂ）は、開封開始手段としての丸みを有した切れ目からなる摘み部から切れ目に沿って開封して開封領域を形成し、紙製外装体の開封領域内面に設けた隠蔽情報が容易に視認される紙製外装体の開封状態を示す外観斜視図である。
【図２】図１で示す本発明の開封機能付き紙容器の一例を図解的に示す断面図である。
【図３】本発明の開封機能付き紙容器の他の例を図解的に示すものであって、（ａ）は、紙製外装体の未開封状態を示す外観斜視図である。（ｂ）は、開封開始手段としての丸みを有した切れ目からなる摘み部から切れ目に沿って開封して開封領域を形成し、紙製外装体の開封領域内面に設けた隠蔽情報が容易に視認される紙製外装体の開封状態を示す外観斜視図である。
【図４】本発明の開封機能付き紙容器のさらに別の例を図解的に示すものであって、（ａ）は、紙製外装体の未開封状態を示す外観斜視図である。（ｂ）は、開封開始手段としての丸みを有した切れ目からなる摘み部から切れ目に沿って開封して開封領域を形成し、紙製外装体の開封領域内面に設けた隠蔽情報が容易に視認される紙製外装体の開封状態を示す外観斜視図である。
【図５】従来の開封機能付き紙容器の一例を図解的に示す外観斜視図であって、（ａ）は、紙製外装体の未開封状態を示す外観斜視図である。（ｂ）は、開封開始手段としての丸みを有した切れ目からなる摘み部から開封して開封領域を形成し、紙製外装体の開封領域内面に設けた隠蔽情報が部分的に視認される状態を示す外観斜視図である。
【図６】図６（ａ）は図５で示す従来の開封機能付き紙容器に用いる紙製外装体の展開ブランク板を概略的に示す平面図であり、図６（ｂ）は図１で示す本発明の開封機能付き紙容器に用いる紙製外装体の展開ブランク板を概略的に示す平面図である。
【符号の説明】
【００７７】
１…開封機能付き紙容器
１Ａ…開封機能付き紙容器
１Ｂ…開封機能付き紙容器
１Ｃ…開封機能付き紙容器
１Ｄ…従来の開封機能付き紙容器
１０…紙製容器本体
１０ａ…胴部
１０ｂ…外巻開口縁部（フランジ部）
１０ｃ…底部
１０ｄ…底材
２０…紙製外装体
２０ａ…開封開始部（摘み部）
２０ｂ…切れ目
２０ｃ…紙製外装体の開封部
２０ｄ…内側折込片
２０ｅ…切れ目
２０ｆ…切れ目
３０…隠蔽情報
２０’…紙製外装体用ブランク板
２０’’…紙製外装体用ブランク板
Ｘ１…切れ目上端位置
Ｘ２…開封開始部（丸みを有した切れ目からなる摘み部）上端位置
Ｘ３…開封開始部（丸みを有した切れ目からなる摘み部）下端位置
Ｘ４…切れ目下端位置
Ｘ５…切れ目下端位置
Ｘ６…切れ目下端位置
【図１】
2010126209.tif 000003
【図２】
2010126209.tif 000004
【図３】
2010126209.tif 000005
【図４】
2010126209.tif 000006
【図５】
2010126209.tif 000007
【図６】
2010126209.tif 000008